(57)【要約】本発明は、発光装置（１００）であって、発光装置（１００）にエネルギーを供給するための第１のインターフェイス（１０４）を備え、および、発光装置（１００）の照明ソース（１０２）の照明特性を制御するための１つの制御信号または複数の制御信号を伝達するための第２のインターフェイス（１０６）を備える、発光装置（１００）に関する。【選択図】図１
2016515288.tif 000002
【特許請求の範囲】
【請求項１】
発光装置（１００）であって、前記発光装置（１００）にエネルギーを供給するための第１のインターフェイス（１０４）を備え、および、前記発光装置（１００）の照明ソース（１０２）の照明特性を制御するための１つの制御信号（Ｂ、Ｄ）または複数の制御信号（Ｂ、Ｄ）を伝達するための第２のインターフェイス（１０６）を備える、発光装置（１００）。
【請求項２】
少なくとも１つの制御信号（Ｂ、Ｄ）は、前記照明ソース（１０２）の光の強度を制御するための調光信号（Ｄ）を含む、請求項１に記載の発光装置（１００）。
【請求項３】
少なくとも１つの制御信号（Ｂ、Ｄ）は、前記照明ソース（１０２）の照明頻度および／または照明期間を制御するための点滅信号（Ｂ）を含む、請求項１または２に記載の発光装置（１００）。
【請求項４】
前記第２のインターフェイス（１０６）は、状態信号（Ｆ）、特に不良信号を、伝達する、特に受信するかまたは発信するように作られる、請求項１〜３のいずれか１項に記載の発光装置（１００）。
【請求項５】
前記第１のインターフェイス（１０４）は、無線エネルギー伝送として、あるいは、有線または光ファイバ・エネルギー伝送として作られる、請求項１〜４のいずれか１項に記載の発光装置（１００）。
【請求項６】
前記第２のインターフェイス（１０６）は、少なくとも１つの制御信号（Ｂ、Ｄ）のおよび／または１つの状態信号（Ｆ）の無線伝送として、あるいは、有線または光ファイバ伝送として作られる、請求項１〜５のいずれか１項に記載の発光装置（１００）。
【請求項７】
前記発光装置（１００）は、追加の発光装置（４０６）にエネルギーを供給するための第３のインターフェイス（１０８）を備える、請求項１〜６のいずれか１項に記載の発光装置（１００）。
【請求項８】
前記第３のインターフェイス（１０８）は、無線エネルギー伝送として、あるいは、有線または光ファイバ・エネルギー伝送として作られる、請求項７に記載の発光装置（１００）。
【請求項９】
前記発光装置（１００）は、少なくとも１つの制御信号（Ｂ、Ｄ）および／または１つの状態信号（Ｆ）を追加の発光装置（４０６）に送信するための、および／または、追加の発光装置（４０６）の制御信号（Ｂ、Ｄ）および／または状態信号（Ｆ）を受信するための、追加のインターフェイス（１１０）を含む、請求項１〜８のいずれか１項に記載の発光装置（１００）。
【請求項１０】
前記追加のインターフェイス（１１０）は、前記制御信号（Ｂ、Ｄ）のおよび／または前記状態信号（Ｆ）の無線伝送として、あるいは、有線または光ファイバ伝送として作られる、請求項９に記載の発光装置（１００）。
【請求項１１】
発光装置（１００）の照明ソース（１０２）の照明特性を制御するための１つの制御信号（Ｂ、Ｄ）または複数の制御信号（Ｂ、Ｄ）を伝達するための、および／または、発光装置（１００）の状態信号（Ｆ）を受信するための、インターフェイス（４１０）を備える、制御装置（４０２）
【請求項１２】
少なくとも１つの制御信号（Ｂ、Ｄ）は、前記照明ソース（１０２）の光の強度を制御するための調光信号（Ｄ）を含む、請求項１１に記載の制御装置（４０２）。
【請求項１３】
少なくとも１つの制御信号（Ｂ、Ｄ）は、前記照明ソース（１０２）の照明頻度および／または照明期間を制御するための点滅信号（Ｂ）を含む、請求項１１または１２に記載の制御装置（４０２）。
【請求項１４】
前記インターフェイス（４１０）は、状態信号（Ｆ）、特に不良信号を、伝達する、特に発信するように作られる、請求項１１〜１３のいずれか１項に記載の制御装置（４０２）。
【請求項１５】
少なくとも１つの制御信号（Ｂ、Ｄ）および／または状態信号（Ｆ）を送信するための前記インターフェイス（４１０）は、前記制御信号（Ｂ、Ｄ）および／または前記状態信号（Ｆ）の無線伝送として、あるいは、有線または光ファイバ伝送として作られる、請求項１１〜１４のいずれか１項に記載の制御装置（４０２）。
【請求項１６】
前記制御装置（４０２）は、発光装置（１００）にエネルギーを供給するためのインターフェイス（４０８）を含む、請求項１１〜１５のいずれか１項に記載の制御装置（４０２）。
【請求項１７】
発光装置（１００）にエネルギーを供給するための前記インターフェイス（４０８）は、無線エネルギー伝送として、あるいは、有線または光ファイバ・エネルギー伝送として作られる、請求項１６に記載の制御装置（４０２）。
【請求項１８】
請求項１〜１０のいずれか１項に記載の発光装置（１００）、および請求項１１〜１７のいずれか１項に記載の制御装置（４０２）を備える、照明システム（４００、５００）。
【発明の詳細な説明】
【技術分野】
【０００１】
本発明は、発光装置に関する。
【背景技術】
【０００２】
発光装置、特に、ＬＥＤマシン・ライトは、マシンの照明のために用いられる。これらの発光装置は、スイッチまたはリレーを介して接続されるかまたは切れる発光装置の電圧供給の結果として、オン／オフに切り換えられる。しかしながら、これは、任意のさらなる機能を除外して、発光装置のオン／オフ動作の切換えだけを可能にする。追加の機能は、全然実施できないかまたは大きな（インストール）出費でのみ実施することができる。
【発明の概要】
【発明が解決しようとする課題】
【０００３】
したがって、柔軟な照明特性を有する発光装置を供給することは、本発明の目的である。
【課題を解決するための手段】
【０００４】
この目的は、独立クレームによる特徴を有する主題によって達成される。有利な実施形態は、従属クレーム、説明および図面の主題である。
【０００５】
本発明は、上記目的がエネルギー供給のためのまたは制御信号のための異なるインターフェイスを有する発光装置によって達成されてもよいという発見に基づく。この種の発光装置は、配線の複雑さを減らすことを可能にする。そしてそれは、柔軟に使われてもよい。
【０００６】
第１の態様によれば、発光装置は、発光装置にエネルギーを供給するための第１のインターフェイス、および、発光装置の照明ソースの照明特性を制御するための１つの制御信号または複数の制御信号を伝達するための第２のインターフェイスを含むという点で、目的は、達成される。これにより達成される技術的利点は、例えば、発光装置を作動させるために、第１のインターフェイスを介して、発光装置が電気エネルギーを供給されてもよいということ、そして、第２のインターフェイスを介して、それが１つの制御信号によってまたは複数の制御信号によって制御されてもよいということである。
【０００７】
照明特性は、例えば、調光および／または点滅モードを含んでよい。
【０００８】
伝達は、例えば、制御信号の受信または、例えば、照明ソースドライバ（例えばＬＥＤドライバ）への制御信号の送信を含んでよい。
【０００９】
照明ソースは、例えば、ＬＥＤまたはＬＥＤパネルまたはハロゲンライトまたはハロゲンライトパネルを含んでよい。
【００１０】
第２のインターフェイスは、設計において一方向でもよくまたは双方向性でもよい。第２のインターフェイスは、例えば、標準ＩＥＣ６１１５８による産業応用のためのフィールドバス（測定および制御のためにデジタルデータ通信−産業制御システムに用いるためのフィールドバス）として、または、例えば、標準ＩＥＣ６１７８４−２によるリアルタイム能力があるイーサネット・ベースのフィールドバスのためのイーサネット（登録商標）として、設計されてよい。第２のインターフェイスは、通信インターフェイスとして設計されもよい。
【００１１】
１つの有利な実施形態において、少なくとも１つの制御信号は、照明ソースの光の強度を制御するための（例えば、調光するための）調光信号を含む。これにより達成される技術的利点は、光の強度が調光信号によって変化されてよいということである。その結果、調整された光の強度は、発光装置によって提供されてよい。
【００１２】
別の有利な実施形態において、少なくとも１つの制御信号は、照明ソースの照明頻度（ｆｒｅｑｕｅｎｃｙ）および／または照明期間を制御するための点滅信号であるかまたはそれを含む。これにより達成される技術的利点は、例えば、ストロボスコープ効果を発生するために、発光装置が望ましい頻度および／または期間の光の点滅を生成するということである。
【００１３】
別の有利な実施形態において、第２のインターフェイスは、状態信号、特に不良信号を、伝達する、特に受信するかまたは発信するように作られる。これにより達成される技術的利点は、不良信号が第２のインターフェイスを介して発信されてよいかまたは受信されてよいということである。その結果、例えば、発光装置の故障は、信号を送られてもよい。故障は、例えば、照明ソースの欠陥を示してもよい。この種の欠陥は、例えば、電流または電圧の測定によって検出されてもよい。
【００１４】
別の有利な実施形態において、第１のインターフェイスは、無線エネルギー伝送として、あるいは、有線または光ファイバ・エネルギー伝送として作られる。これにより達成される技術的利点は、無線エネルギー伝送が電気エネルギーを伝達するラインの布設を必要としないということである。一方、有線または光ファイバ・エネルギー伝送の場合、より大きな量のエネルギーを伝送することができるかまたはエネルギー損失を減少させることができる。
【００１５】
別の有利な実施形態において、第２のインターフェイスは、少なくとも１つの制御信号のおよび／または１つの状態信号の無線伝送として、あるいは、有線または光ファイバ伝送として作られる。これにより達成される技術的利点は、無線伝送が電気ラインの布設を必要としないということである。一方、有線または光ファイバ伝送の場合、より高いエネルギー伝送効率を達成することができる。
【００１６】
別の有利な実施形態において、発光装置は、追加の発光装置にエネルギーを供給するための第３のインターフェイスを含む。これにより達成される技術的利点は、複数の発光装置が直列に接続されてよく、そして、電気エネルギーを供給されてよいということである。そしてそれは、配線の複雑さをさらに減らす。
【００１７】
別の有利な実施形態において、第３のインターフェイスは、無線エネルギー伝送として、あるいは、有線または光ファイバ・エネルギー伝送として作られる。これにより達成される技術的利点は、無線エネルギー伝送が電気エネルギーを伝送するラインの布設を必要としないということである。一方、有線または光ファイバ・エネルギー伝送の場合、より高いエネルギー伝送効率を達成することができる。
【００１８】
別の有利な実施形態において、発光装置は、例えば、少なくとも１つの制御信号および／または１つの状態信号を追加の発光装置に送信するための、および／または、追加の発光装置の追加の制御信号および／または１つの状態信号および／または複数の状態信号を受信するための、追加の、例えば第４のインターフェイスを含む。
【００１９】
追加の状態信号は、上述した制御信号の特性を含んでよい。
【００２０】
追加の状態信号は、上述した状態信号の特性を含んでよい。
【００２１】
追加の、例えば第４のインターフェイスは、設計において一方向でもよくまたは双方向性でもよい。追加の、例えば第４のインターフェイスは、例えば、標準ＩＥＣ６１１５８による産業応用のためのフィールドバス（測定および制御のためにデジタルデータ通信−産業制御システムに用いるためのフィールドバス）として、または、例えば、標準ＩＥＣ６１７８４−２によるリアルタイム能力があるイーサネット・ベースのフィールドバスのためのイーサネット（登録商標）として、設計されてよい。第４のインターフェイスは、通信インターフェイスとして設計されもよい。
【００２２】
これにより達成される技術的利点は、発光装置の直列接続を通して制御信号および／または状態信号をループにするために、複数の発光装置が電気的に直列に接続されてよいということである。そしてそれは、配線の複雑さをさらに減らす。
【００２３】
別の有利な実施形態において、追加のインターフェイスは、制御信号のおよび／または状態信号の無線伝送として、あるいは、有線または光ファイバ伝送として作られる。これにより達成される技術的利点は、無線エネルギー伝送が電気ラインの布設を必要としないということである。一方、有線または光ファイバ・エネルギー伝送の場合、より高いエネルギー伝送効率を達成することができる。
【００２４】
第２の態様によれば、発光装置の照明ソースの照明特性を制御するための１つの制御信号または複数の制御信号を伝達するための、例えば、発信するかまたは受信するための、および／または、発光装置の状態信号を受信するための、インターフェイスを有する制御装置によって、目的は、達成される。制御信号は、上述した状態信号の特性を含んでよい。状態信号は、上述した状態信号の特性を含んでよい。これにより達成される技術的利点は、インターフェイスを介して、発光装置を制御することができるということである。
【００２５】
１つの有利な実施形態において、少なくとも１つの制御信号は、照明ソースの光の強度を制御するための調光信号を含む。これにより達成される技術的利点は、光の強度が調光信号によって変化されてよいということである。その結果、調整された光の強度は、発光装置によって提供されてよい。
【００２６】
別の有利な実施形態において、少なくとも１つの制御信号は、照明ソースの照明頻度および／または照明期間を制御するための点滅信号を含む。これにより達成される技術的利点は、例えば、ストロボスコープ効果を発生するために、発光装置が望ましい頻度および／または期間の光の点滅を生成するということである。
【００２７】
別の有利な実施形態において、インターフェイスは、状態信号、特に不良信号を、伝達する、特に発信するように作られる。これにより達成される技術的利点は、状態信号が第２のインターフェイスを介して受信されてよいということである。その結果、例えば、発光装置の故障は、効率的に信号を送られてもよい。故障は、例えば、発光装置または照明ソースの欠陥でもよい。
【００２８】
別の有利な実施形態において、少なくとも１つの制御信号および／または状態信号を送信するためのインターフェイスは、制御信号および／または状態信号の無線伝送として、あるいは、有線または光ファイバ伝送として作られる。これにより達成される技術的利点は、無線伝送が電気ラインの布設を必要としないということである。一方、有線または光ファイバ・エネルギー伝送の場合、より高いエネルギー伝送効率を達成することができる。
【００２９】
別の有利な実施形態において、制御装置は、発光装置にエネルギーを供給するためのインターフェイスを含む。これにより達成される技術的利点は、制御装置が発光装置に電気エネルギーを供給することが可能であるということである、そして、別々のエネルギーソースは、必要とされない。
【００３０】
別の有利な実施形態において、発光装置にエネルギーを供給するためのインターフェイスは、無線エネルギー伝送として、あるいは、有線または光ファイバ・エネルギー伝送として作られる。これにより達成される技術的利点は、無線エネルギー伝送が電気エネルギーを伝達するラインの布設を必要としないということである。一方、有線または光ファイバ・エネルギー伝送の場合、より大きな量のエネルギーを伝送することができる。
【００３１】
第３の態様によれば、前記タイプの発光装置および前記タイプの制御装置を含む照明システムによって、目的は、達成される。これにより達成される技術的利点は、例えば、照明ソースを作動するために、発光装置が、第１のインターフェイスを介して電気エネルギーを供給されてよく、そして、第２のインターフェイスを介して制御信号によって制御されてよいということである。
【００３２】
追加の例示的実施態様は、添付図面を参照して説明される。
【図面の簡単な説明】
【００３３】
【図１】図１は、発光装置の概略図を示す。
【図２】図２は、発光装置の部分図を示す。
【図３】図３は、発光装置の別の部分図を示す。
【図４】図４は、照明システムの概略的回路図を示す。
【図５】図５は別の照明システムの別の概略的回路図を示す。
【発明を実施するための形態】
【００３４】
図１は、発光装置１００を示す。一実施形態によれば、発光装置１００は、マシン内のまたはマシンでの照明のためのマシン・ランプ（特に、ＬＥＤマシン・ランプのような）として設計される。
【００３５】
一実施形態による発光装置１００は、一実施形態によるＬＥＤ照明要素として設計される照明ソース１０２を備える。一実施形態による発光装置１００は、プラグ１１２およびソケット１１４をさらに含む。一実施形態によれば、プラグ１１２は、第１のインターフェイス１０４および第２のインターフェイス１０６と関係している。この配置において、第１のインターフェイス１０４は、発光装置１００（特にその照明ソース１０２）に対してエネルギーを供給するために用いる。一方、発光装置１００を制御するための制御信号または複数の制御信号（図１には表されない）は、第２のインターフェイス１０６を介して発光装置１００に送信されてもよい。さらに、一実施形態によれば、発光装置１００から生じる状態信号（図１には表されない）は、第２のインターフェイス１０６を介して発信されてもよくまたは受信されてもよい。
【００３６】
一実施形態によれば、発光装置は、随意の第３のインターフェイス１０８および第４のインターフェイス１１０を含む。そしてそれらは、ソケット１１４と関係している。この配置において、第３のインターフェイス１０８は、追加の発光装置（図１には表されない）に対してエネルギーを供給するために用いる。一方、追加の発光装置１００を制御するための制御信号または複数の制御信号は、第４のインターフェイス１１０を介して追加の発光装置１００に送信されてもよい。さらに、一実施形態によれば、下で後述されるように、制御信号または複数の制御信号または状態信号（追加の発光装置４０６から生じて送られる状態信号）は、第４のインターフェイス１１０を介して受信されてもよくまたは送信されてもよい。したがって、下で後述されるように、ソケット１１４を介して、追加の発光装置４０６を発光装置１００に電気的に接続することができる。
【００３７】
図２は、例えば５−ポール（５−ｐｏｌｅ）Ｍ１２組込みプラグコネクタとして設計されるプラグ１１２を示す。一実施形態によるプラグ１１２は、Ａ−コーディング（Ａ−ｃｏｄｉｎｇ）２００および５つの接点２０２〜２１０を含む。
【００３８】
５つの接点２０２〜２１０の割当ては、例えば、以下の通りである。
接点２０２は、供給電圧Ｖを割り当てられる。
接点２０４は、点滅信号Ｂを割り当てられる。
接点２０６は、グラウンドＭを割り当てられる。
接点２０８は、調光信号Ｄを割り当てられる。
接点２１０は、状態信号Ｆ（例えば、不良信号）を割り当てられる。
【００３９】
図３は、一実施形態によるソケット１１４を示す。そしてそれは、５−ポールＭ１２組込みプラグコネクタとして設計される。一実施形態によるソケット１１４は、よるＡ−コーディング３００ならびに５つの接点３０２〜３１０を含む。
【００４０】
５つの接点３０２〜３１０の割当ては、例えば、以下の通りである。
接点３０２は、供給電圧Ｖを割り当てられる。
接点３０４は、点滅信号Ｂを割り当てられる。
接点３０６は、グラウンドＭを割り当てられる。
接点３０８は、調光信号Ｄを割り当てられる。
接点３１０は、状態信号Ｆ（例えば、不良信号）を割り当てられる。
【００４１】
図４は、照明システム４００を示す。一実施形態による照明システム４００は、制御装置４０２、エネルギーソース４０４、ならびに追加の発光装置４０６を含む。
【００４２】
一実施形態によるエネルギーソース４０４は、電気エネルギーを供給する。そしてそれは、エネルギーソース４０４の供給インターフェイス４１２を介して制御装置４０２に送信される。この目的のために、制御装置４０２の供給インターフェイス４１４は、エネルギーソース４０４の供給インターフェイス４１２に電気的に接続している。エネルギーソース４０４の供給インターフェイス４１２および制御装置４０２の供給インターフェイス４１４は、供給電圧Ｖ（一実施形態による２４ボルト）のための、そしてグラウンドＭのための端子を含む。
【００４３】
一実施形態による制御装置４０２は、供給インターフェイス４１４に加えて、発光装置１００にエネルギーを供給するための第１のインターフェイス４０８、および発光装置１００の照明ソース１０２の照明特性を制御するための第２のインターフェイス４１０を含む。一実施形態による制御装置４０２の第１のインターフェイス４０８は、供給電圧ＶおよびグラウンドＭのための２つの端子を含む。
【００４４】
一実施形態による制御装置４０２の第２のインターフェイス４１０は、３つの端子を含む。３つの端子のうちの２つは、発光装置１００の照明ソース１０２の照明特性を制御するための制御信号Ｂ、Ｄのために提供される。そして、３つの端子のうちの１つは、発光装置１００の状態信号Ｆのために提供される。一実施形態による制御信号Ｂ、Ｄは、点滅信号Ｂおよび調光信号Ｄを含む。一実施形態による状態信号Ｆは、不良信号である。
【００４５】
一実施形態による点滅信号Ｂは、パルス幅変調制御信号であり、照明ソース１０２を供給するための電流をオンまたはオフに切り換えさせる。制御信号レベル論理１は、電流を遮断する。一方、電流は、制御信号レベル論理が０であると流れている。したがって、一実施形態によれば、発光装置１００の第２のインターフェイス１０６の点滅信号Ｂのための入力は、低アクティブ入力として実施される。その結果、点滅信号Ｂが省略されるかまたは存在しないときでも、照明ソース１０２は点灯する。
【００４６】
一実施形態による調光信号Ｄも、パルス幅変調制御信号である。一実施形態によれば、０〜１００％のデューティーファクタまたはデューティーサイクルは、照明ソース１０２を供給するための最大電流強さ（すなわち、照明ソース１０２が最大の光強度で照明する）に対応する。
【００４７】
さらに、一実施形態によれば、例えば０よりも大きく０．９５までのデューティーファクタまたはデューティーサイクルの結果は、照明ソース１０２が調光モードで作動されるということである。電流の強さは、デューティーファクタに応じて、照明ソース１０２を供給するための最大電流強さの０と１００％との間に目下ある。最後に、一実施形態によれば、例えば０．９５よりも大きいデューティーファクタまたはデューティーサイクルの結果は、照明ソース１０２が点灯することに失敗するということである。換言すれば、一実施形態によれば、例えば０．９５のデューティーファクタまたはデューティーサイクルは、照明ソース１０２スイッチオフへの調光モードの変化のためのスイッチング閾値を表し、そして逆もまた同じである。
【００４８】
さらに、一実施形態によれば、発光装置１００の第２のインターフェイス１０６の調光信号Ｄの入力は、低アクティブ・ディスエーブル入力として行実施される。その結果、調光信号Ｄが省略されるかまたは存在しないときでも、照明ソース１０２は点灯する。
【００４９】
一実施形態による状態信号Ｆは、デジタル状態信号である。不良が生じた場合、状態信号Ｆの状態信号レベルは、論理１にセットされる。一方、通常、それは論理０にセットされる。一実施形態による状態信号Ｆは、例えば、照明ソース１０２にエネルギーを供給するために、発光装置１００および／またはＬＥＤ電圧の電圧降下の範囲内で過剰な温度を示す。
【００５０】
一実施形態による制御装置４０２の第１のインターフェイス４０８は、発光装置１００の第１のインターフェイス１０４に電気的に接続している。その結果、発光装置１００は、供給電圧Ｖに、そしてグラウンドＭに電気的に接続している。一実施形態による制御装置４０２の第２の制御インターフェイス４１０は、発光装置１００の第２のインターフェイス１０６に接続している。
【００５１】
一実施形態による発光装置１００の図４に表される第１のインターフェイス１０４および第２のインターフェイス１０６は、プラグ１１２に組み込まれる。そしてそれは、一実施形態によれば、５−ポールＭ１２組込みプラグとして設計される。一実施形態によれば、５つの端子は、以下のように割り当てられる（図２参照）。
接点２０２は、供給電圧Ｖを割り当てられる。
接点２０４は、点滅信号Ｂを割り当てられる。
接点２０６は、グラウンドＭを割り当てられる。
接点２０８は、調光信号Ｄを割り当てられる。
接点２１０は、状態信号Ｆ（例えば、不良信号）を割り当てられる。
【００５２】
したがって、一実施形態による制御信号、点滅信号Ｂおよび／または調光信号Ｄは、制御装置４０２から第１の発光装置１００まで送信されてもよい。したがって、一実施形態によれば、点滅信号Ｂおよび／または調光信号Ｄは、制御装置４０２によって発生される。
【００５３】
点滅信号Ｂを受信すると、照明ソース１０２の照明頻度および／または照明期間は、例えば、変えられる。すなわち、照明するおよび照明しない照明ソース１０２の位相は、連続して続く。その結果、照明ソース１０２は、光フラッシュを生成する。他方、調光信号Ｄを受信すると、照明ソース１０２の光の強度は、変えられる。状態信号Ｆが不良信号である場合、状態信号Ｆは、発光装置１００によって第１の制御装置４０２に送信されてもよい。したがって、一実施形態によれば、状態信号Ｆは、制御装置４０２によって受信される。不良が起こるときに、発光装置１００は、照明ソース１０２のスイッチを自動的に切る。不良（例えば、過剰な温度）がもはや存在しない場合、静的直流電圧信号（例えば、２４Ｖの直流信号）が点滅信号Ｂまたは調光信号Ｄのための入力に存在しない一実施形態の限りでは、発光装置１００は、照明ソース１０２のスイッチを自動的に入れ戻す。
【００５４】
図４は、追加の発光装置４０６が発光装置１００のソケット１１４に接続していることも示す。追加の発光装置４０６は、図１〜図３を参照して記載される発光装置１００と同じ設計を有する。
【００５５】
一実施形態によれば、ソケット１１４の５つの端子は、以下のように割り当てられる（図３参照）。
接点３０２は、供給電圧Ｖを割り当てられる。
接点３０４は、点滅信号Ｂを割り当てられる。
接点３０６は、グラウンドＭを割り当てられる。
接点３０８は、調光信号Ｄを割り当てられる。
接点３１０は、状態信号Ｆ（例えば、不良信号）を割り当てられる。
【００５６】
一実施形態によれば、発光装置１００の第３のインターフェイス１０８は、追加の発光装置４０６の第１のインターフェイス１０４に電気的に接続している。そして、発光装置１００の第４のインターフェイス１１０は、追加の発光装置４０６の第２のインターフェイス１０６に電気的に接続している。この構成では、一実施形態による発光装置１００の第１のインターフェイス１０４は、供給電圧ＶおよびグラウンドＭが発光装置１００を通してループされるというような方法で設計される。その結果、発光装置１００のソケット１１４において、供給電圧Ｖは、接点３０２で利用可能であり、そして、追加の発光装置４０６を作動するためのグラウンドＭは、接点３０６で利用できる。
【００５７】
さらに、一実施形態によれば、点滅信号Ｂのための接点３０４の端子、調光信号Ｄのための接点３０８の端子、および不良信号Ｆのための接点３１０の端子は、追加の発光装置４０６の第２のインターフェイス１０６の対応する接点２０４、２０８、２１０に電気的に接続している。
【００５８】
したがって、点滅信号Ｂおよび／または調光信号Ｄは、制御装置４０２によって発光装置１００を通してループされてもよく、そして、追加の発光装置４０６に供給されてもよい。そしてそれを受信すると、追加の発光装置４０６は、光の強度を変えて、および／または、点滅信号Ｂを受信すると、照明頻度および照明期間を変える。
【００５９】
したがって、一実施形態によれば、点滅信号Ｂおよび／または調光信号Ｄは、制御装置４０２によって発生される。さらに、一実施形態によれば、状態信号Ｆは、発光装置１００を通してループされてもよく、そして制御装置４０２まで送られてもよい。そしてそれは、例えば、対応する調光信号Ｄによって、その後照明システム４００を停止させてもよい。したがって、一実施形態によれば、状態信号Ｆは、制御装置４０２によって受信される。
【００６０】
図５は、照明システム５００の別の例示的実施形態を示す。そしてそれは、エネルギーソース４０４が追加の供給インターフェイス５０２を介して発光装置１００の第１のインターフェイス１０４に直接電気的に接続しているという点で、以前の例示的実施形態と異なる。
【００６１】
したがって、この例示的実施形態のエネルギーソース４０４は、供給インターフェイス４１２および追加の供給インターフェイス５０２を含む。さらに、この例示的実施形態の制御装置４０２は、供給インターフェイス４１４に加えて、制御信号Ｂ、Ｄを発して例えば送信するための、および／または、状態信号Ｆを例えば受信するためのインターフェイス４１０を含む。
【００６２】
図５に表される例示的実施形態において、エネルギーソース４０４は、その供給インターフェイス４１２を介して制御装置４０２に、そして、同時に、その追加の供給インターフェイス５０２を介して発光装置１００に電気エネルギーを供給する。この例示的実施形態例では、発光装置１００に直列に接続している追加の発光装置４０６も、エネルギーを供給される。
【００６３】
図４および図５に表される例示的実施形態において、発光装置１００のような追加の発光装置４０６は、第３のインターフェイス１０８および第４のインターフェイス１１０を含む。その結果、照明システム４００は、追加の発光装置を含むために拡大されてもよい。
【００６４】
さらに、図４および図５に表される例示的実施形態において、第１の発光装置１００の第１のインターフェイス１０４、第２のインターフェイス１０６、第３のインターフェイス１０８、第４のインターフェイス１１０、および、追加の発光装置４０６の第１のインターフェイス１０４、第２のインターフェイス１０６、第３のインターフェイス１０８、第４のインターフェイス１１０は、設計において、電線で結ばれるかまたは光ファイバで結ばれる。さらに、これらの例示的実施形態の第１のインターフェイス４０８および第２のインターフェイス４１０、ならびに制御装置４０２の供給インターフェイス４１４、ならびにエネルギーソース４０４の供給インターフェイス４１２は、設計において、電線で結ばれるかまたは光ファイバで結ばれる。
【００６５】
しかしながら、その偏差において、第１の発光装置の第１のインターフェイス１０４および／または第３のインターフェイス１０８、および／または、追加の発光装置４０６の第１のインターフェイス１０４および第３のインターフェイス１０８、ならびに制御装置４０２の第１のインターフェイス４０８は、例えば、誘導結合または容量結合によって、無線エネルギー伝送として設計されてもよい。さらに、エネルギーソース４０４の供給インターフェイス４１２および制御装置４０２の供給インターフェイス４１４は、例えば、誘導結合または容量結合によって、無線エネルギー伝送として設計されてもよい。
【００６６】
さらに、第１の発光装置１００の第２のインターフェイス１０６および／または第４のインターフェイス１１０、および、追加の発光装置４０６の第２のインターフェイス１０６および／または第４のインターフェイス１１０、ならびに制御装置４０２の第２のインターフェイス４１０は、例えば、ブルートゥースまたはＷＬＡＮによって、無線データ伝送として設計されてもよい。
【００６７】
一実施形態による発光装置１００および追加の発光装置４０６は、照明ソース１０２を起動させるためのＬＥＤドライバを含む。一実施形態によれば、これは、照明ソース１０２を起動させるための標準ドライバを含む。ＬＥＤドライバは、ソフトウェア・コンポーネントおよびハードウェア・コンポーネントを含んでよい。ＬＥＤドライバは、供給電圧Ｖに、そしてグラウンドＭに電気的に接続している。一実施形態によれば、過電圧保護手段および逆極性保護手段は、ＬＥＤドライバの上流に接続される。一実施形態によれば、火花ギャップおよびＭＯＳＦＥＴ。
【００６８】
さらに、例えば、供給電圧が予め定められたリミット値以下に低下する場合に備えて、状態信号（例えば、不良信号）を生成するために、ＬＥＤドライバは、例えば、シュミットトリガを含んでもよいかまたはそれと関係していてもよい。さらに、ＬＥＤドライバは、論理ＡＮＤゲートと関係していてもよいか、または、ＬＥＤドライバは、ＡＮＤゲートを含む。そしてそれに対して、点滅信号Ｂに加えて、別の状態信号が、それがパルス幅変調制御信号のための入力に供給される前に、供給される。さらに、ＬＥＤドライバは、調光信号Ｄのための入力を含む。そしてそれは、一実施形態によれば、パルス幅変調制御信号でもある。一実施形態による入力から上流に接続されるのは、オーム抵抗ならびにローパスから成る分圧器である。
【００６９】
さらに、一実施形態によるセレクタ・スイッチ入力は、ＬＥＤドライバと関係していてもよいか、またはそれから上流に接続していてもよい。そしてそれによって、２つのオペレーティングモード（例えば、２つの異なる放射特性（例えば、１００°および５０°の放射角））のうちの１つは、選択されてもよい。したがって、発光装置１００および追加の発光装置４０６は、標準ＬＥＤドライバを用いて使用されてもよい。
【符号の説明】
【００７０】
１００…発光装置
１０２…照明ソース
１０４…第１のインターフェイス
１０６…第２のインターフェイス
１０８…第３のインターフェイス
１１０…第４のインターフェイス
１１２…ブラグ
１１４…ソケット
２００…Ａ−コーディング
２０２…第１の接点
２０４…第２の接点
２０６…第３の接点
２０８…第４の接点
２１０…第５の接点
３００…Ａ−コーディング
３０２…第１の接点
３０４…第２の接点
３０６…第３の接点
３０８…第４の接点
３１０…第５の接点
４００…照明システム
４０２…制御装置
４０４…エネルギーソース
４０６…追加の発光装置
４０８…第１のインターフェイス
４１０…第２のインターフェイス
４１２…供給インターフェイス
４１４…供給インターフェイス
５００…照明システム
５０２…供給インターフェイス
Ｂ…点滅信号
Ｄ…調光信号
Ｆ…状態信号
Ｍ…グラウンド
Ｖ…供給電圧
【図１】
2016515288.tif 000003
【図２】
2016515288.tif 000004
【図３】
2016515288.tif 000005
【図４】
2016515288.tif 000006
【図５】
2016515288.tif 000007
【国際調査報告】
2016515288.tif 000008
2016515288.tif 000009
2016515288.tif 000010
2016515288.tif 000011